Podtech/llm-jp-corpus-v4-ja_patent huggingface dataset:
(57)【要約】      （修正有）【課題】視認性を向上させることができる販売促進装置を提供する。【解決手段】商品を陳列する陳列棚２０に立設された板状の仕切板部３０と、仕切板部３０を支えるようにして、仕切板部３０の下端縁の両側にそれぞれ設けられ、陳列棚２０に固着するための矩形状の第１及び第２の脚板部４０Ａ及び４０Ｂと、仕切板部３０に設けられ、仕切板部３０付近に位置する買物客を検知するための人感センサ６０と、人感センサ６０から買物客の検知情報が通知されると、音声を出力するスピーカ７０とを備え、仕切板部３０は、買物客が通行する通路側に向けて張り出すように形成された。【選択図】図１
0003212968.tif 000002
【実用新案登録請求の範囲】
【請求項１】
商品を陳列する陳列棚に立設された板状の仕切板部と、
前記仕切板部を支えるようにして、前記仕切板部の下端縁の両側にそれぞれ設けられ、前記陳列棚に固着するための矩形状の第１及び第２の脚板部と、
前記仕切板部に設けられ、前記仕切板部付近に位置する買物客を検知するための人感センサと、
前記人感センサから買物客の検知情報が通知されると、音声を出力するスピーカと
を備え、前記仕切板部は、
買物客が通行する通路側に向けて張り出すように形成された
ことを特徴とする販売促進装置。
【考案の詳細な説明】
【技術分野】
【０００１】
本考案は、販売促進装置に関する。
【背景技術】
【０００２】
従来、ドラッグストアやスーパーマーケットなどの店舗の陳列棚に設置するための販売促進装置として、種々のものが開発及び提案されている。
【考案の概要】
【考案が解決しようとする課題】
【０００３】
本考案は、従来と比較して一段と視認性を向上させることができる販売促進装置を提供することを目的とする。
【課題を解決するための手段】
【０００４】
本考案の一態様による販売促進装置は、
商品を陳列する陳列棚に立設された板状の仕切板部と、
前記仕切板部を支えるようにして、前記仕切板部の下端縁の両側にそれぞれ設けられ、前記陳列棚に固着するための矩形状の第１及び第２の脚板部と、
前記仕切板部に設けられ、前記仕切板部付近に位置する買物客を検知するための人感センサと、
前記人感センサから買物客の検知情報が通知されると、音声を出力するスピーカと
を備え、前記仕切板部は、
買物客が通行する通路側に向けて張り出すように形成された
ことを特徴とする。
【考案の効果】
【０００５】
本考案の販売促進装置によれば、従来と比較して一段と視認性を向上させることができる。
【図面の簡単な説明】
【０００６】
【図１】本考案の実施の形態による販売促進装置の構成を示す正面側斜視図、背面側斜視図、側面図及び平面図である。
【考案を実施するための形態】
【０００７】
以下、本考案の実施の形態について図面を参照して説明する。
【０００８】
図１に、本考案の実施の形態による販売促進装置１０の構成を示す。このうち、図１（ａ）は、販売促進装置１０を正面側斜め上方から視認した場合の正面側斜視図を示し、図１（ｂ）は、販売促進装置１０を背面側斜め上方から視認した場合の背面側斜視図を示し、図１（ｃ）は、販売促進装置１０を側方から視認した場合の側面図を示し、図１（ｄ）は、販売促進装置１０を上方から視認した場合の平面図を示す。
【０００９】
販売促進装置１０は、ドラッグストアやスーパーマーケットなどの店舗の陳列棚２０に設置することにより、一の商品群と他の商品群との間の仕切りとしての役割を果たし、ブックエンド（本立て）型の形状を有するように形成されている。
【００１０】
より具体的には、販売促進装置１０は、陳列棚２０に陳列された一の商品群と他の商品群との間を仕切るための板状の仕切板部３０を有する。この仕切板部３０の下端縁の両側には、矩形状の第１及び第２の脚板部４０Ａ及び４０Ｂが一体成形され、これら第１及び第２の脚板部４０Ａ及び４０Ｂを陳列棚２０に固定することにより、仕切板部３０が陳列棚２０上に立設されている。
【００１１】
また、仕切板部３０は、買物客が通行する通路側及びその下方に張り出すように形成され、かつその中央下端部分には切欠５０が設けられ、これにより、仕切板部３０は、凹型形状に形成されている。
【００１２】
ところで、仕切板部３０の通路側端部には、人感センサ６０が設けられ、買物客が販売促進装置１０の前を通行したことを検出すると、これをスピーカ７０に通知することにより、所定の音声をスピーカ７０から出力させる。
【００１３】
一方、仕切板部３０の非通路側端部には、人感センサ６０を起動するための電源スイッチ８０と、スピーカ７０から出力される音声の音量を調整する音量調整部９０とが設けられている。
【００１４】
なお、仕切板部３０の側面には、広告文や広告写真などを表示することにより、買物客の注意を引くようになされている。
【００１５】
このように本実施の形態によれば、一の商品群と他の商品群との間を仕切るための仕切板部３０を、買物客が通行する通路側及びその下方に張り出すように形成することにより、従来と比較して一段と視認性を向上させることができる。
【００１６】
すなわち、本実施の形態の販売促進装置１０は、商品を陳列する陳列棚２０に立設された板状の仕切板部３０と、仕切板部３０を支えるようにして、仕切板部３０の下端縁の両側にそれぞれ設けられ、陳列棚２０に固着するための矩形状の第１及び第２の脚板部４０Ａ及び４０Ｂと、仕切板部３０に設けられ、仕切板部３０付近に位置する買物客を検知するための人感センサ６０と、人感センサ６０から買物客の検知情報が通知されると、音声を出力するスピーカ７０とを備え、仕切板部３０は、買物客が通行する通路側に向けて張り出すように形成されたことを特徴とする。
【符号の説明】
【００１７】
１０  販売促進装置
２０  陳列棚
３０  仕切板部
４０  脚板部
５０  切欠
６０  人感センサ
７０  スピーカ
【図１】
0003212968.tif 000003
(57)【要約】      （修正有）【課題】粘着式小バエ取り器を提供する。【解決手段】箱状の容器に、前記箱の底面及び側面に、匂いを吸い取る為のスポンジ７又は、吸い取り紙が取り付けてあり、前記箱の上面に当たる部位には穴５や切り目などの隙間が施してあり、前記箱の上面と間隔を空けて粘着テープ３が設けられ、前記粘着テープは前記箱に設けられたシャフト２により回転可能であり、前記箱の上面より入り込んだ小バエを、粘着テープで捕獲する事が出来る構造を特徴とする。【選択図】図２
0003212306.tif 000002
【実用新案登録請求の範囲】
【請求項１】
箱状の容器に、前記箱の底面及び側面に、匂いを吸い取る為のスポンジ又は、吸い取り紙等が、取り付けてあり、前記箱の上面に当たる部位には穴や切り目等の隙間が施してあり、前記箱の上面より下方に回転出来る粘着テープが施してある、前記箱の上面より、入り込んだ小バエを、粘着テープで捕獲する事が出来る構造を特徴とする、粘着式小バエ取り器。
【考案の詳細な説明】
【技術分野】小バエと粘着テープ捕獲に関する
【背景技術】小バエ取り専用の穴の開けられた花瓶型の小バエ捕獲器があり匂いで小バエを捕獲するような物があるようだが詳細は不明である
【考案が解決する課題】
小バエを観察するして見るには蛍光灯自体には停まるようとはしないが、キッチンの白い色とか、銀色等淡く光るものには寄ってくるようである、ちなみにラ−メン等の残り汁等を鍋の蓋をして１０日ほど放置してみると、小バエとウジがわいている、つまり鍋の湯気の吹き出し口のステンレスの光に引かれて、かつ鍋の匂いで中に入ると考えられる、湯気の穴の直径は４ミリほどである、故に本考案では視覚と臭覚を利用して小バエを捕獲しようとするものである
以下図面と共に、具体的に申し上げます。
【考案１】
【００１】本考案では粘着テープにより小バエを捕獲しようとするものである
【００２】厚紙又は、ダンボウル等で制作された長方形の箱があり
【００３】その箱はおおまかに左・中・右と区分されており
【００４】左側の前記箱の中央部位から粘着テープの芯を貫通させて固着されたシャフトがあり
【００５】右側の前記箱の中央部位から貫通されたシャフトが設けてあり
【００６】左側の前記粘着テープを引きだして右側の前記シャフトにホッチキスなどで固着してある
【００７】前記右側のシャフトを回転させれば、前記粘着テープが引きだされる
【００８】右側の前記シャフトは回転しやすいように、手元は大きく作られている
【００９】前記粘着テープを平行に引きだされるように、前記左右の前記箱の上部には同じ高さのシャフトがそれぞれ設けてある
【００９】この前記シャフトの上を前記粘着テープが通過することになる
【０１０】前記中央の前記箱の上部にはアルミホイルなどが貼られ複数の穴が設けてあり又は、１部が細く切り取らている
【００１１】前記シャフトと前記箱の上部とは少し間隔が設けてある
【０１２】前記中央にあたる部位は開閉が出来るように施してあり、中を確認できるようになっている
【０１３】前記箱の底には全面に薄いスポンジ又は、吸い取り紙等が敷き詰められていて匂いがする汁などが塗布されている
【０１４】その前記スポンジ等の少し上部には窓が施してある
【０１５】前記窓は前記中央部の前記箱に縦横に切り開かれ窓を施したものである
【０１６】前記窓は上下の部位が少し手前に開かれその前記隙間に透明の薄いプラスチックが挟まれており、餌の交換・補填と共に、明かりを取り込もうとするものである
【０１７】この様な構造の小バエ捕獲器は視覚と臭覚により、前記箱の中にはいり込み粘着テープで捕獲出来、前記右側のシャフトを回転すれば新しい粘着テープとして使用出来て便利である。
【図面の簡単な説明】
【図１】本考案の正面・斜視図である。
【図２】本考案の斜視・透視図である。
【符号の説明】１・・・本体
２・・・シャフト
３・・・粘着テープ
４・・・粘着テープを並行に引き出す為のシャフト
５・・・穴等
６・・・中央部位の開閉させる扉
７・・・スポンジ等
８・・・窓
９・・・透明のプラスチック
１０・・隙間
【図１】
0003212306.tif 000003
【図２】
0003212306.tif 000004
【手続補正書】
【提出日】平成29年6月20日(2017.6.20)
【手続補正１】
【補正対象書類名】実用新案登録請求の範囲
【補正対象項目名】全文
【補正方法】変更
【補正の内容】
【実用新案登録請求の範囲】
【請求項１】
箱状の容器に、前記箱の底面及び側面に、匂いを吸い取る為のスポンジ又は、吸い取り紙が取り付けてあり、前記箱の上面に当たる部位には穴や切り目などの隙間が施してあり、前記箱の上面と間隔を空けて粘着テープが設けられ、前記粘着テープは前記箱に設けられたシャフトにより回転可能であり、前記箱の上面より入り込んだ小バエを、粘着テープで捕獲する事が出来る構造を特徴とする、粘着式小バエ取り器。
(57)【要約】      （修正有）【課題】点滴中の移動時における接触危険の軽減、行動範囲の拘束改善、自由度の向上、サイズの小型化、軽量化を図ることが可能となる自給式ポータブル輸液バッグを提供する。【解決手段】透明素材からなる外側輸液バッグ１の内側底部に位置する開口部５に、輸液４を収容する伸張性・収縮性の高い薄く透明な伸縮素材３からなる球形状の内側輸液バッグ２を装着した二重構造の輸液バッグ形状を特徴とする。【選択図】図１
0003212301.tif 000002
【実用新案登録請求の範囲】
【請求項１】
本考案は、輸液バッグを伸縮素材（イソプレンゴムまたは同等機能を有する素材）で形成することで、伸縮素材の収縮力および圧力の均衡作用により輸液バッグ内の輸液を自給的に導管チューブへ供給し、点滴中の移動時に可動式輸液スタンドまたはポータブル輸液装置を使用せず、点滴を継続することを可能とする。
【請求項２】
本考案は、輸液バッグを伸縮素材（イソプレンゴムまたは同等機能を有する素材）で形成することで、輸液バッグ内に注射針等により異物を混入する行為が発生した場合、伸縮素材の特性により当該輸液バッグは破裂するため、視認性により異物混入を察知できる機能を有すると共に当該行為の抑止効果が図れる。
【考案の詳細な説明】
【技術分野】
【０００１】本考案は、伸縮素材の機能特性を利用した軽量型の自給式ポータブル輸液バッグに関するものである。
【背景技術】
【０００２】従来は、点滴中に移動する場合、輸液バッグを可動式輸液スタンドに吊るして移動する。または輸液バッグをポータブル輸液装置に収納しポータブル輸液装置を持ち運ぶ必要があった。
【考案の概要】
【考案が解決しようとする課題】
【０００３】従来の可動式輸液スタンドは、通行人と接触する危険性、階段昇降の困難性、トイレ使用時の不便性、在宅医療における宅内移動の不自由・不便性という欠点がある。
また、従来のポータブル輸液装置は、輸液バッグの収納ケースと輸液バッグに外部圧力を加える動力装置で構成され、ポータブル輸液装置は輸液バッグより大きく総重量は重くなること、輸液バッグのサイズ、種類、形状によりポータブル輸液装置を使用できない、または十分に機能を果たせない欠点がある。【０００４】本考案はこれらの欠点を鑑み、従来の可動式輸液スタンドまたはポータブル輸液装置を使用せず、本考案のみで点滴中に移動が可能となる。従って、点滴中の移動時における接触危険の軽減、行動範囲の拘束改善、自由度の向上、サイズの小型化、軽量化を図ることが可能となり、前述の欠点を解決するものである。
【課題を解決するための手段】
【０００５】本考案は、輸液バッグを二重構造化し、外側輸液バッグの内部に輸液を収容する伸縮素材で形成した内側輸液バッグを装着する。外側輸液バッグは、内側輸液バッグを外部との摩擦や衝撃から保護し破損、破裂を防止する。内側輸液バッグは伸縮素材の特性により袋状に膨張し輸液を収容する。点滴使用時に開口部に導管チューブ針を刺すと、内側輸液バッグの収縮力および圧力の均衡作用により内側輸液バッグ内の輸液が自給的に導管チューブに押し出され、点滴の持続が可能になる。【０００６】本考案により、輸液バッグ本体に自給機能を備えることが可能となり、点滴中の移動時において可動式輸液スタンドまたはポータブル輸液装置を使用せずに、本考案のみで点滴が継続可能となり、上記の課題を解決するものである。
【考案の効果】
【０００７】本考案にあっては次に列挙する効果が得られる。
（１）本考案は、伸縮素材の収縮力および圧力の均衡作用の働きにより、輸液を導管チューブに自給する機能を備え、本考案を持ち運ぶのみで点滴の持続が可能となる。従って、可動式輸液スタンドまたはポータブル輸液装置は不要となり、点滴中の移動時の危険性軽減、行動範囲の拘束改善、自由度の向上、利便性の向上、コンパクト化、軽量化における効果が得られる。【０００８】（２）本考案の輸液バッグに注射針等を刺し、異物を混入させる行為が万が一発生した場合、本考案の内部輸液バッグは注射針等の挿入時に破裂するため、視認性により外部からの異物混入を検知する効果が得られる。【０００９】（３）本考案は、既存技術により製品化が可能であるため、開発・製造コストを安価に抑制でき、経済的メリットが高い。本考案は従来の輸液バッグへの汎用性が高く、企業の製品標準化が図り易く、医療現場、国内海外市場への普及が見込める。【００１０】（４）本考案による高付加価値な輸液容器を提供することで上記（１）の効果が得られ「患者ＱＯＬの向上」を図ることができる。
【図面の簡単な説明】
【００１１】
【図１】本考案の一実施例を示す構成図
【考案を実施するための形態】
【００１２】本考案は、外側輸液バッグと内側輸液バッグで構成する。外側輸液バッグ内部の中央下部に内側輸液バッグを装着する。外側輸液バッグは、内側輸液バッグを摩擦や衝撃から保護し破損、破裂を防止する。内側輸液バッグは伸縮素材で水風船のように膨張し輸液を収容する。
【００１３】内側輸液バッグ素材の具体例としてイソプレンゴムを使用する。イソプレンゴムは医療用の製品に広く使われており、素材特性として柔軟性に優れ、高い引張強度、引裂強度を保持し、天然ゴム由来のアレルギー反応を引き起こさない特徴を持つ。尚、伸縮素材はイソプレンゴムに限定するものではない。同等以上の機能を有する他の素材がある場合は代替する。
【００１４】点滴時に導管チューブ針を開口部に刺すと内側輸液バッグに伸縮素材の収縮力および圧力の均衡作用が働き、輸液が導管チューブに自給的に供給され、本考案のみで点滴を持続可能にする。
【産業上の利用可能性】
【００１５】本考案は、輸液製剤を製造する企業または産業で利用される
【符号の説明】
【００１６】１  外側輸液バッグ
２  内側輸液バッグ
３  伸縮素材
４  輪液
５  開口部
６  導管チューブ針
７  導管チューブ
８  取手
９  内側輸液バッグ収容スペース
【図１】
0003212301.tif 000003
【手続補正書】
【提出日】平成29年6月16日(2017.6.16)
【手続補正１】
【補正対象書類名】実用新案登録請求の範囲
【補正対象項目名】全文
【補正方法】変更
【補正の内容】
【実用新案登録請求の範囲】
【請求項１】
透明素材からなる外側輸液バッグ容器の内側底部に位置する開口部に、輸液を収容する伸張性・収縮性の高い薄く透明な伸縮素材からなる球形状の内側輸液バッグ容器を装着した二重構造の輸液バッグ形状を特徴とする自給式ポータブル輸液バッグ
(57)【要約】      （修正有）【課題】リボン風、もしくは蝶々風にしてこれをハンドバッグなどに取り付け、おしゃれ感を有するハンカチ類を提供する。【解決手段】ハンカチ類１の辺の略中央部にテープ４を設け、ハンカチ類１をそのテープ４で巻くように絞り、テープ４にあるホック２−２で固定し、さらに、これとは別のホック２−１、３−１で取り付けるようにループをつくった。【選択図】図３
0003212324.tif 000002
【実用新案登録請求の範囲】
【請求項１】
ハンカチ類の辺の略中央部にテープを設け、前記ハンカチ類を該テープで巻くように絞り、該テープにあるホックで固定し、さらに、該ホックとは別のホックで取り付けるようにループをつくり、バッグなどに取り付けるリボン風の装飾性あるハンカチ類。
【考案の詳細な説明】
【技術分野】
【０００１】ハンカチ類をリボン風にして装飾性を持たせる技術分野に関する。
【背景技術】
【０００２】従来から特許文献１に示すようにハンカチ類の形態を変えて意匠性や装飾性を高める工夫はされてきた。
【先行技術文献】
【特許文献】
【０００３】
【特許文献１】実開平０６−０６１９０５
【考案の概要】
【考案が解決しようとする課題】
【０００４】ハンカチ類の形態をリボン風、もしくは蝶々風にしてこれをハンドバッグなどに取り付けおしゃれ感を有するようなものは無かった。
【課題を解決するための手段】
【０００５】ハンカチ類の辺の略中央部にテープを設け、ハンカチ類をそのテープで巻くように絞り、テープにあるホックで固定し、さらに、これとは別のホックで取り付けるようにループをつくった装飾性あるハンカチ類である
【考案の効果】
【０００６】上記の手段をとることにより、当該考案品をバッグなどに取り付けることにより、おしゃれ感あり意匠性に優れたアイテムとなる。
【図面の簡単な説明】
【０００７】
【図１】本考案の展開図
【図２】リボン化する前のホックの位置を示す図
【図３】リボン化した図
【図４】取り付けループを形作った図で本考案の完成図
【図５】バッグに取り付けた図
【考案を実施するための形態】
【０００８】図面や符号を使ってこの作り方を説明する。
図１は展開図を示す。ハンカチ類１の四辺の一つの略中央部にテープ４を取り付けておりそのテープにはホック２−１、２−２、３−１、３−２がある。
【０００９】図２はハンカチ類をリボン化する前のホックの位置を示す図であってハンカチ類の中心を絞った状態にし、テープを巻きホックを止める前の状態である。
【００１０】図３は図２で絞った状態のハンカチ類にテープを巻き、ホック２−２と３−２を合わせて止め、リボン化をした状態である。
【００１１】図４はホック２−１と３−１を合わせて止め、ループ状の取り付け部分をつくった状態である。
【００１２】図５は図４でつくったテープのループを使用し、バッグに取り付けた状態である。
【符号の説明】
【００１３】１  ハンカチ類
２、３  ホック
４  テープ
【図１】
0003212324.tif 000003
【図２】
0003212324.tif 000004
【図３】
0003212324.tif 000005
【図４】
0003212324.tif 000006
【図５】
0003212324.tif 000007
(57)【要約】      （修正有）【課題】雫が垂れない逆さま傘を提供する。【解決手段】逆さ開きの傘において雨を受ける上面が携行時も常に上側に位置するように傘の上面に手元１を配し、傘を差すときは下面の手元兼用石突３を持って使用し、傘を閉じると濡れた面が内側になるので、傘ひも１３で縛って雫を閉じ込めた状態で、上面の手元１をもって携行することができる。【選択図】図１
0003212313.tif 000002
【実用新案登録請求の範囲】
【請求項１】
逆さ開きの傘において傘の上部に手元を配し、傘の下部に手元兼用石突を配した構造を有する傘であり、傘を閉じたとき濡れた傘布が内側になって雫を保持したまま携行できるようにした傘。
【請求項２】
請求項１において固定の手元でなく、傘ひもで傘を縛った状態でハンドストラップ等により吊り下げて携行できるようにした傘。
【考案の詳細な説明】
【技術分野】
【０００１】
本考案は、雨傘に関する。
【背景技術】
【０００２】
雨天時、電車やバス等屋内に入った時、濡れた傘から出る雫の扱いに関する対処法としては袋をかぶせるくらいしかなく、傘だけで対処でき、しかも使いやすい方法がなかった。
【先行技術文献】
【特許文献】
【０００３】
【特許文献１】特開２００１−１９０３１４
【考案の概要】
【考案が解決しようとする課題】
【０００４】
一般的な傘は、基本的に折りたたんだ時に、雨に濡れる側が外側になるような構造をしていたが、近年は特許文献１に示したように傘をたたんだ時に傘布の濡れた面が内側になるような傘が提供されている。濡れない傘として多くの業者からも逆さ開きの傘が販売されている。雨で濡れた傘を電車バス等屋内に持ち込む際は傘布が触れて周囲を濡らすこと以外に雫を床等に垂らしてしまい、周辺に迷惑をかけることがあります。従来の逆さ開きの傘は傘布が周囲を濡らすことは無くなりましたが、雫を垂れ流す問題が解決していません。雫を垂らさないためには別途傘袋等での処理が必要です。
【課題を解決するための手段】
【０００５】
本考案は、上記問題点を解決するため、傘の構造を見直し、逆さ開きの傘において雨を受ける上面が携行時も常に上側に位置するように傘の上面に手元を配しました。傘を差すときは下面の手元兼用石突を持って使用し、傘を閉じると濡れた面が内側になるので、傘ひもで縛って雫を閉じ込めた状態で、上面の手元をもって携行することができるようにしました。
【考案の効果】
【０００６】
実施形態１  携行時に傘の手元を持って立てて運べば雫が垂れない。特別な雫防止の袋が必要ないため簡便である。
【０００７】
実施形態２  携行用ハンドストラップが濡れない位置なので、傘を閉じて携行する行為が濡れたものに触ることなく、雫も垂れない。
【図面の簡単な説明】
【０００８】
【図１】実施形態１の傘を開いた状態図
【図２】実施形態１の傘の開閉中途図
【図３】実施形態１の傘を閉じた状態図
【図４】実施形態２の傘を開いた状態図
【図５】実施形態２の傘の開閉中途図
【図６】実施形態２の傘を閉じた状態図
【考案を実施するための形態】
【０００９】
実施形態１
図１に示すように構成される。上端に携行時用の手元１が取り付けられた中棒２があり、その下端に手元兼用の石突３が取り付けられる。中棒の手元１側には上ロクロ４を固着させる。中棒２には下ロクロ５がスライド可能に取り付けられ、上ロクロ４から出ている受骨６と、下ロクロ５から出ている親骨７がダボ８にて結合されている。下ロクロ５は下端にスライドさせると下ハジキ１０にて係止めされる。係止めを外して下ロクロ１０を上方にスライドさせると傘が開いて行き、上ハジキ９にて係止めされたとき傘が開いて使用できる状態である。受骨６の方がダボ８までは親骨７より長くしてあるため、傘は逆さ開きとなっているので、雨に濡れた上傘布１１は閉じたとき内側になる。傘を閉じた状態で傘ひもで縛り、上側の手元１を持って携行すれば、雫は傘の内側に閉じ込められたまま垂れることはない。ここでは図１の逆さ開き傘の骨の構造で説明したが、逆さ開きの骨構造は他の方式もある。骨の構造はいずれでも良いが、傘の上に携行用の手元１を設け、開いて使用するときは傘の下側の手元兼用石突３を持って使用する構造により、携行時に雫が垂れない実施形態を実現した。
【００１０】
実施形態２
図４に示すように構成される。
前項実施形態１においては傘を閉じたときに雫を垂らさないことと傘布が濡れてない状態を実現した。しかし、携行用の手元が雨で濡れた状態となっているので、持つと手のひらが濡れることがある。これはハンカチーフ等で拭けば済むことであるが、実施形態２においてさらに手の濡れない傘を実現した。
実施形態１と基本的な傘の構造はほとんど同じであるが、傘上部には固定の手元1は設けず、携行時は傘ひも13に取り付けたハンドストラップ14で傘を吊り下げ保持する方式である。傘ひも13は幅広で強度のあるものを使用し、ひもを留める手段として例えばマジックテープ等を使用して傘を縛って留めて、傘ひもの端に取り付けたハンドストラップ14により傘を吊り下げて保持する。傘の使用時は傘ひも13は傘の下側で雨に濡れない下傘布側に取り付けてあるが、ハンドストラップ14を接続すると長くぶら下がり、横雨で濡れてしまうのを防止するため、下傘布に沿って保持用マジックテープ15で留められるようにしておく。
【符号の説明】
【００１１】
1：手元  2：中棒  3：手元兼用石突  4：上ロクロ  5：下ロクロ  6：受骨  7：親骨  8：ダボ  9：上ハジキ  10：下ハジキ  11：上傘布  12：下傘布  13：傘ひも  14：ハンドストラップ  15：保持用マジックテープ
【図１】
0003212313.tif 000003
【図２】
0003212313.tif 000004
【図３】
0003212313.tif 000005
【図４】
0003212313.tif 000006
【図５】
0003212313.tif 000007
【図６】
0003212313.tif 000008
【手続補正書】
【提出日】平成29年7月12日(2017.7.12)
【手続補正１】
【補正対象書類名】実用新案登録請求の範囲
【補正対象項目名】請求項２
【補正方法】変更
【補正の内容】
【請求項２】
逆さ開きの傘において、傘ひもにハンドストラップを設け、折りたたみ傘を縛った状態で該ハンドストラップにより吊り下げて携行できるようにした請求項１に記載の傘。
(57)【要約】      （修正有）【課題】お参りの際、骨壺の在り処を明確化し厳かな雰囲気を演出し、且つ、お参りする人が故人が暗く狭い処にとじこめられているという感情をもたせないための骨壺を提供する。【解決手段】透光性磁器質でできた骨壺蓋２の内部に発光ユニット３を設置することで、発光ユニット３を点灯させた際、骨壺本体１及び骨壺蓋２が発光することで、お参りの対象を明確化するとともにお参りする人が骨壺に入った故人も明るい環境にいると安心させる。【選択図】図１
0003212319.tif 000002
【実用新案登録請求の範囲】
【請求項１】
内部に発光ユニットを設けた骨壺であり、骨壺本体及び蓋は透光性の素材でできた骨壺、あるいはその一部に透光性素材を用いた骨壺。
【請求項２】
請求項１の骨壺に於いて、透光性素材は陶磁器質である骨壺。
【請求項３】
請求項２の透光性陶磁器質骨壺は、骨壺内部の内面にも絵付け装飾が施された陶磁器製骨壺。
【請求項４】
請求項１に記載の骨壺の発光ユニットは、必要なとき発光させることが可能なスイッチを備える骨壺。
【請求項５】
請求項４に記載の発光ユニットは１００V電源や、バッテリーを内蔵し発光する骨壺。
【請求項６】
請求項４に記載の発光ユニットの電源はワイヤレス給電からなる骨壺。
【考案の詳細な説明】
【技術分野】
【０００１】
本考案は、骨壺本体、又はフタの内部に発光ユニットを備えた骨壺に関する物である。
【背景技術】
【０００２】
納骨堂の「壇の種類」を大きく分けると、次の5種類がある。１） 仏壇式  ２） ロッカー式  ３） 機械式  ４） 位牌式  ５） 合葬式。この中で、２）ロッカー式３）機械式は、骨壺を直接目にする形式である。従来の骨壺では、周囲の装飾に同化してしまい、お参りの対象が不明確になる問題がある。また直接骨壺を目にするため、骨壺の中の故人が暗い処に閉じ込められていると感じる人もいる。
【先行技術文献】
【特許文献】
【０００３】
【特許文献１】実願２０１４−５８７８（Ｕ２０１４−５８７８）
【考案の概要】
【考案が解決しようとする課題】
【０００４】
特許文献１に骨壺側面等に透光性窓を設けることにより、故人が暗い処にいれられてかわいそうというイメージを解消する提案がなされている。しかし、透光性窓の面積を大きくとるか、室内がよほど明るくない限り、骨壺の中に光は届かない。また、自ら発光はしないので、周囲の装飾に同化してしまう。
本考案は、骨壺本体、又はフタの内部に発光ユニットを備え、骨壺が自ら光を発し、その在り処が明確にわかる。また、外部から内部が明るい事が容易にわかり、故人も明確に明るい処に居るとお参りする人が認識できるようにしたものである。
【課題を解決するための手段】
【０００５】
骨壺内部に発光ユニットを設置する。骨壺本体は透光性の磁器質素地を採用するか、または、非透光性の素地を採用する場合はその一部をくり抜き、ガラスなど透光性のある材料を窓材とした陶磁器骨壺とする。
【考案の効果】
【０００６】
上記の様に、透光性を有する壺の中で発光ユニットが光るので壺が発光し、お参り来た者からお参りの対象がどこにあるかが明確になる。また発光する事で厳かな雰囲気が演出され故人の思い出がよみがえる。また、壺の中が明るい事が容易に理解できるので、お参りのときには故人も同じ環境にいると認識できる。発光色は故人や、お参りする人の好みの色を選べばよい。
【０００７】
本発明は、発光ユニットを点灯させるためのスイッチを有する。スイッチは骨壺表面にスイッチがあると骨壺の品位を損なうため、電波などで遠隔操作できるスイッチが望ましい。電源は１００V電源、電池式が一般的に利用できる。しかし１００V電源はコードが骨壺の品位を損なう、電池式は電池切れの心配があるなど欠点があるので、好ましくはワイヤレス給電式を採用すると電源の心配がなくより良い。
【図面の簡単な説明】
【０００８】
【図１】本考案の構成を示した図
【図２】本考案で骨壺の一部に透光性素材をはめ込んだ構成図
【図３】本考案で、骨壺内部に絵柄を施した構成図
【図４】発光ユニット構成例    １００Ｖ電源発光ユニット構成
【図５】発光ユニット構成例    バッテリー電源発光ユニット構成
【図６】発光ユニット構成例    ワイヤレス給電対応電源発光ユニット構成
【考案を実施するための形態】
【０００９】
全体が透光性を有する材料、又は一部が透光性の材料で構成された骨壺の蓋、または本体に発光ユニットを固定する。
【実施例】
【００１０】
以下、添付図面（図１）に従って一実施例を説明する。１は透光性磁器質で製造された骨壺本体、２は透光性磁器質で製造された骨壺の蓋、３は（図４）に示したワイヤレス給電システムを採用した発光ユニットである。発光ユニット３は骨壺蓋２に接着剤等を用いて固定する。
【００１１】
本考案の一実施例は上述のごとき構成から成る物であるから、本発明骨壺に遺骨を納めた状態で、スイッチを作動させるとＬＥＤランプが発光する。すると内部が明るくなる事はもちろん、骨壺が透光性を持つ材質であることからお参りする人は骨壺が発光していると認識できる。従ってお参りしている人は、故人が明るい場所にいると理解でき、且つ骨壺が光ることでお参りの対象が明確になり、厳かな雰囲気が演出される。
【００１２】
添付図面（図２）の骨壺を用いた場合は、部分的に透光性材料を用いているため、意匠的な効果がより強調される。添付図面（図３）は本体内側に装飾を施した骨壺の断面を表す。この骨壺を採用した場合は、発光装置を作動させると内部に施された装飾がお参りする人から認識でき意匠的な効果が強調される。
【００１３】
本発明の骨壺は１寸から８寸サイズの骨壺に対応している。実施例では発光ユニットを骨壺の蓋に固定したが、骨壺本体に固定しても同様の効果が得られる。
【符号の説明】
【００１４】
（図１）
１  骨壺本体（透光性磁器質）
２  骨壺蓋  （透光性磁器質）
３  発光ユニット
（図２）
４  骨壺本体（非透光性磁器質）
５  透光性材料窓（ガラス質）
６  骨壺蓋  （非透光性磁器質）
７  発光ユニット
（図３）
８  骨壺本体（透光性磁器質）
９  骨壺内部に施した装飾
１０  骨壺蓋  （透光性磁器質）
１１  発光ユニット
（図４）
１００Ｖ電源発光ユニット構成
（図５）
バッテリー電源発光ユニット構成
（図６）
ワイヤレス給電対応電源発光ユニット構成
【図１】
0003212319.tif 000003
【図２】
0003212319.tif 000004
【図３】
0003212319.tif 000005
【図４】
0003212319.tif 000006
【図５】
0003212319.tif 000007
【図６】
0003212319.tif 000008
(57)【要約】      （修正有）【課題】使用中の移動を容易にする座椅子を提供する。【解決手段】座椅子の接地面にキャスターを取り付けた。【選択図】図３
0003212320.tif 000002
【実用新案登録請求の範囲】
【請求項１】
座椅子の床に接する面にキャスターを取り付けたもの。
【考案の詳細な説明】
【図面の簡単な説明】
【図１】座椅子の側面図
【図２】座椅子の正面図
【図３】本考案を備え付けた座椅子の側面図
【図４】本考案を備え付けた座椅子の正面図
【考案の詳細な説明】
【考案が解決しようとする課題】
座椅子を使用すると、使用者の体重の一部が座椅子にかかり、座椅子が受ける床面との摩擦力は、使用者から座椅子を通して床面に伝わる体重と座椅子の重さに比例し、使用中の座椅子と床面との間に生じる摩擦力は使用前に比べて大きくなり、そのため、使用中の座椅子の移動には困難を伴い、座椅子に座ったまま、テーブル等の下への使用者の足の出し入れが難しい。
【解決手段】
「図面」に記載のように、座椅子の床面に接する部分にキャスターを取り付けて、上記摩擦を減らし、使用中の座椅子移動を容易にし、使用者の足の出し入れを容易にする。
【図１】
0003212320.tif 000003
【図２】
0003212320.tif 000004
【図３】
0003212320.tif 000005
【図４】
0003212320.tif 000006
(57)【要約】      （修正有）【課題】蓄光色の健康足踏み配線カバーを提供する。【解決手段】蓄光色を帯びた健康足踏み１の内部に、ケーブルの収納が適うケーブル防護スペース２を設け、配線ケーブル３を、カバーすることに拠り、より安全担保、注意喚起、自立支援、健康促進の機をも担い得る。超高齢社会に因り、従前以上の福祉・医療機器類の投下と共に派生する各種電気・通信ケーブル類の宅内露出化、同時に、高齢者が宅内で、足を引っ掛け、つまずき、転倒する事故、又、視力低下や認知症状に因る、そして能動的な、通行スペースでの危険察知ないし回避力が衰退すること自体をも防護するのに、蓄光色を帯びさせたものである。また、足で触れる機会、目で見える対象物としての機会を増幅させ、より、なじませることで、事故の未然防止、且つ、ご本人の健康増進をも兼ねられる。【選択図】図１
0003212083.tif 000002
【実用新案登録請求の範囲】
【請求項１】
蓄光色を帯びた、健康足踏み内部に、露出配線を通せる空洞を設け、併せ同時に、床上渡り配線を収納、防護が適うモールカバーの機能も有すことを特徴とする、蓄光色の健康足踏み配線カバー。
【考案の詳細な説明】
【技術分野】
【０００１】本考案は、蓄光色を帯びた健康足踏みを兼ね合わせた、配線カバーに関するものである。
【背景技術】
【０００２】足裏をマッサージする為に、足裏を密着させる健康足踏み、ならびに、健康足踏み形状の床上露出渡り配線を覆い、足のつまずきや通行の妨げから守る配線カバーは、存していた。
【先行技術文献】
【０００３】インターネット・ショッピングモール内、キーワード検索「健康足踏み」「床用配線収納モール」「露出配線カバー」若しくは、カテゴリー検索「健康器具」「電設・通信ケーブル用資材」「住宅改修材」
【考案の概要】
【考案が解決しようとする課題】
【０００４】従前品の健康足踏みは、足裏をマッサージさせる為だけの物で、従前品の床用配線カバーは、床上を渡る露出配線に、通行上、妨げにならないように、足のつまずきを防ぐ為、および景観を損ねぬよう施された防護ないし美観を演出する機能を有したモールカバーであった。各々の機能を複合させ、蓄光色を帯びさせることで、従前以上に、注意喚起を促せ、より安全担保を図ろうとするものである。
【課題を解決するための手段】
【０００５】本考案は、蓄光色を帯びた健康足踏み内に空洞スペースを設け、ケーブル配線を通せるよう施した、露出配線収納も目的とした防護カバーとして、健康増進と安全担保の同化を図っている。
【考案の効果】
【０００６】上述のように、本考案の蓄光色の健康足踏み配線カバーは、超高齢社会を迎えた宅内事情、施設事情、とりわけ特殊寝台・電動式ベッドをはじめとした、急騰する福祉用具、医療機器類の露出配線ケーブルが多くなり、同時に、足元が、すり足傾向で、認知症状や視力の低下で、足元の危険物を感知しにくい、ご老齢の方々が急増し、そして、介助する側の方々の負担軽減と、夜間も含め、注意喚起回数および、機会を増やすことに拠り、転倒防止・自立支援・安全度の認知、認識の契機を、より促せ、同時に足裏マッサージの機も増やせ、安全面ならびに、健康増進面の両目的面の担保が適い合う。
【図面の簡単な説明】
【０００７】
【図１】本考案の蓄光色の健康足踏み配線カバーの設置例を示す断面形状（側面）図である。
【図２】本考案の上面図である。
【考案を実施するための形態】
【０００８】蓄光色を帯びた健康足踏み内に空洞スペースを設け、床上の露出配線ケーブル類を収束、収納、防護可能にする
【実施例】
【０００９】以下、添付図面に従って、実施例を説明する。
１．蓄光色を帯びた健康足踏みに、３．配線ケーブル類の、２．収束・収納が適う防護スペース、を設ける。
【符号の説明】
【００１０】１．蓄光色を帯びた健康足踏み
２．配線ケーブル類の収束・収納が適う、配線ケーブル防護スペース
３．配線ケーブル類
【図１】
0003212083.tif 000003
【図２】
0003212083.tif 000004
(57)【要約】【目的】  本考案は、液体輸送用コンテナ専用車に搭載したＩＳＯタンクの残液を無くすことを目的とする。【解決手段】  平行にした２本の縦根太６の前後に、角形鋼管を用いた前アーム７１と後アーム７２を、それぞれ直角に取り付けるための前切欠６１と後切欠６２を備え、前切欠６１の切欠は後切欠６２の切欠より浅く、底部６１１と底部６２１は縦根太６が底部に全面的に接触するように斜めに構成したサブフレームで、そのサブフレームの前アーム７１を後アーム７２にＩＳＯタンク３が載ることにより、ＩＳＯタンク３を後ろに傾斜させるようにしたことを特徴とする液体輸送用コンテナ専用車サブフレーム。【選択図】図１
0003212002.tif 000002
【実用新案登録請求の範囲】
【請求項１】
平行にした２本の縦根太６の前後に、角形鋼管を用いた前アーム７１と後アーム７２を直角方向に備えた液体輸送用コンテナ専用車サブフレームで、縦根太６は、前アーム７１と後アーム７２を取り付けるための前切欠６１と後切欠６２を設け、前切欠６１の切欠は後切欠６２の切欠より浅くした構成にすることにより、そのサブフレームの前アーム７１と後アーム７２に載せたＩＳＯタンクが、後方に傾斜させるようにしたことを特徴とする液体輸送用コンテナ専用車サブフレーム。
【請求項２】
請求項１記載の液体輸送用コンテナ専用車サブフレームにＩＳＯタンクを搭載し、後方に傾斜させ、液体の排出性を向上させたことを特徴とする液体輸送用コンテナ専用車。
【考案の詳細な説明】
【技術分野】
【０００１】  本考案は、傾斜角度を付けたサブフレームと、それを用いた液体輸送用コンテナ専用車に関するものである。
【背景技術】
【０００２】  液体輸送用コンテナ専用車の外観を図４（ａ）に示す。液体輸送用コンテナ専用車１は、国際的に形状などが規格化されたＩＳＯタンク３を積載して輸送することを目的とした車両である。車両シャシフレーム４の上にコンテナ専用車用のサブフレーム５を取付け、任意のＩＳＯタンク３を積載して走行する。サブフレーム５は車体に対して水平に取り付けられ、ＩＳＯタンク３はそのサブフレーム２の上に水平に搭載されている。【０００３】  ２本の縦根太６に図４（ｂ）のように切欠きを入れ、その部位に図４（ｃ）のように前アーム７１と後アーム７２を嵌め合わせて配置する。ＩＳＯタンク３は前アーム７１と後アーム７２に接地させる構造である。
【考案の概要】
【考案が解決しようとする課題】
【０００４】  サブフレーム５は車体に対して水平に取り付けられ、ＩＳＯタンク３はそのサブフレーム５の上に水平に搭載されているため、ＩＳＯタンク３の内部の液体を全部排出するのが難しかった。
【課題を解決するための手段】
【０００５】  図１（ａ）のように、平行にした２本の縦根太８の前後に、角形鋼管を用いた前アーム７１と後アーム７２を、それぞれ直角に取り付けるための前切欠６１と後切欠６２を備え、前切欠６１の切欠は、後切欠６２の切欠より浅く、底部６１１と底部６２１は、縦根太８が底部に全面的に接触するように斜めに構成したサブフレームで、そのサブフレームの前アーム７１と後アーム７２にＩＳＯタンクが載ることにより、ＩＳＯタンクを後ろに傾斜させるようにしたことを特徴とする液体輸送用コンテナ専用車サブフレームである。【０００６】  傾斜式サブフレーム２をＩＳＯタンク搭載車両に取付けることで、図１（ｄ）のようにＩＳＯタンク３を後ろに傾斜させ、液体の排出性を向上させたことを特徴とする液体輸送用コンテナ専用車である。
【考案の効果】
【０００７】  ＩＳＯタンクを後ろに傾斜させる傾斜式サブフレーム２により、ＩＳＯタンク内の液体の排出が容易になり、荷役作業の時間が短縮できる液体輸送用コンテナ専用車を提供できる。
【図面の簡単な説明】
【０００８】
【図１】  本考案の液体輸送用コンテナ専用車サブフレームの構成  （ａ）縦根太の側面図：切欠き形状を示す  （ｂ）サブフレームの構成  （ｃ）サブフレームを用いた液体輸送用コンテナ専用車
【図２】本考案の液体輸送用コンテナ専用車の外観図
【図３】本考案の液体輸送用コンテナ専用車サブフレームの組立て方法
【図４】従来のコンテナ専用車  （ａ）従来のコンテナ専用車の外観図  （ｂ）従来のサブフレーム：縦根太の切欠きを示す  （ｃ）従来のサブフレーム：縦根太とアームの嵌め合いを示す
【考案を実施するための形態】
【０００９】  図１に本考案の傾斜式サブフレーム２の構成、図２に傾斜式サブフレーム２を用いたときの液体輸送用コンテナ専用車の外観図を示す。図１（ｂ）に示すように、本考案の傾斜式サブフレームは、平行にした２本の縦根太６と、縦根太６の前後に、角形鋼管を用いた前アーム７１と後アーム７２をそれぞれ直角に取り付けるための前切欠６１と後切欠６２を備える。前切欠６１の切欠は、後切欠６２の切欠より浅く、底部６１１と底部６２１は、前アーム７１と後アーム７２を篏合させたとき、それぞれの角形鋼管の角面が縦根太６の底部に全面的に接触するように斜めに構成している。これにより、前アーム７１と前アーム７２にＩＳＯタンク３を載せたときに、ＩＳＯタンク３が後方に傾斜する。
【００１０】  図３に本考案のサブフレームの組立て方法の図を示す。前切欠６１と後切欠６２に前アーム７１と後アーム７２を嵌め合わせて配置し、補強８を取り付ける。このとき、図３（ｃ）のように天と地を反対向けて仮組みし溶接接合することで、別途に冶具や精密な角度測定器を必要とせずに一直線な傾斜にすることができる。
【００１１】  図２に本考案の傾斜式サブフレームを使用した液体輸送用コンテナ専用車の外観図を示す。サブフレーム２の前アーム７１と後アーム７２にＩＳＯタンク３が載ることにより、ＩＳＯタンク３が後ろに傾斜するので、液体を全部、容易に排出できる。
【符号の説明】
【００１２】１  液体輸送用コンテナ専用車
２  傾斜式サブフレーム
３  ＩＳＯタンク
４  車両シャシフレーム
５  従来のサブフレーム
６  縦根太
６１  前切欠
６１１  底部
６２  後切欠
６２１  底部
７１  前アーム
７２  後アーム
８  補強
【図１】
0003212002.tif 000003
【図２】
0003212002.tif 000004
【図３】
0003212002.tif 000005
【図４】
0003212002.tif 000006
(57)【要約】      （修正有）【課題】防水性があり、強度があり、抗菌性もある軽い素材で簡単に製作出来る容器を提供する。【解決手段】容器１は、周囲に連結部が形成された平面視四角形のジョイントマットが筒状に曲げられ、四角形の対向する辺に形成された連結部が互いに連結されて立体的な花瓶又は鉢に形成されている。筒状の側面には、一部切り欠け５が設けられている。筒状の側面には、連結部が脚として配置されている。【選択図】図３
0003212010.tif 000002
【実用新案登録請求の範囲】
【請求項１】
周囲の連結部が形成された平面視四角形のジョイントマットが筒状に曲げられ、前記四角形の対向する辺に形成された前記連結部が互いに連結されて立体的な花瓶または鉢に形成されている容器。
【請求項２】
前記筒状の側面には、一部切り欠きが設けられている請求項１に記載の容器。
【請求項３】
前記筒状の側面の底辺には、前記連結部が脚として配置されている請求項１または請求項２に記載の容器。
【考案の詳細な説明】
【技術分野】
【０００１】
本考案は、ジョイントマットで形成された立体的な容器に関するものである。  
【背景技術】
【０００２】
床にジョイントマットとして使用した場合は、防寒性・抗菌性・防水性があり軽く丈夫である為、容器でも同じ事が言える、防水性・抗菌性が可能になり使用できる。
【考案の概要】
【考案が解決しようとする課題】
【０００３】
段ボール（厚紙）で筒状花瓶の作製を試みたが、問題点として防水に対しては弱く形も変形しやすい欠点がある。本考案は、防水性があり、強度があり、抗菌性もある軽い素材で簡単に製作出来る容器を提供する。
【課題を解決するための手段】
【０００４】
本考案に係る容器は、周囲に連結部が形成された平面視四角形のジョイントマットが筒状に曲げられ、前記四角形の対向する辺に形成された前記連結部が互いに連結されて立体的な花瓶又は鉢に形成されている容器です。前記筒状の側面には、一部切り欠けが設けられている容器です。前記筒状の側面には、前記連結部が脚として配置されている容器です。
【考案の効果】
【０００５】
ジョイントマットは、EVA樹脂素材で形成されているので、その素材で製作した容器はポリエチレンより柔らかく軽量で弾力性、耐久性、防水性もあり有害物や塩素を含まない。またカッターナイフで簡単に製作できるメリットがある。
【図面の簡単な説明】
【０００６】
【図１】ジョイントマット本体
【図２】ジョイントマットを円筒状に丸めた一例を示す。
【図３】本ジョイント容器の一部切欠側面図である。
【図４】容器を花瓶として使用した一例を示す。
【図５】容器を文房具など入れ物に使用した一例を示す。
【図６】容器を植木鉢に使用した一例を示す。
【図７】容器を傘立てに使用した一例を示す。
【図８】ブーツ立てとした一例を示す。
【図９】ペットのおもちゃ(トンネル）に使用した一例を示す。
【考案を実施するための形態】
【０００７】
図１のジョイントマット2は、EVA樹脂素材で床材として使用されています。周囲には、連結部3が形成されている。このジョイントマット2を円筒状に丸めて左右の連結部3を互いにかみ合わせて、外れないように接着剤で固定しそして上端部分の連結部3を切り取ったものが図２に示すものである。別なジョイントマット2から底に相当する底部分4を円形に切り取り、底部4を前記円筒内の底に取り付け接着剤で外れないように固定する。図３はジョイントマットの側面に一部切り欠け5を設けたものである。
【実施例】
【０００８】
図７は傘立てに使用し、底部分に少し深めの植木鉢皿を設けて水漏れを防ぐ。
【０００９】
図８はブーツ立てに使用し、この場合はジョイントマットを円筒状に丸めて左右の連結部を互いにかみ合わせて、外れないように接着剤で固定した円筒体６を２本用意する。また切り取った連結部を互いに合わせて接着剤で固定し帯状にした取っ手７を円筒状に丸めた２本の円筒体６に接着剤で固定する。
【００１０】
図９は図８の円筒体６をペットのおもちゃ（トンネル）に使用し、ジョイントマットを２枚を互いの連結部をかみ合わせ接着剤で固定し、また円筒状に丸め互いの連結部を接着剤で固定する。
【符号の説明】
【００１１】
１  ジョイント容器
２  ジョイントマット本体
３  連結部
４  底部分
５  切欠き部
６  円筒体
【図１】
0003212010.tif 000003
【図２】
0003212010.tif 000004
【図３】
0003212010.tif 000005
【図４】
0003212010.tif 000006
【図５】
0003212010.tif 000007
【図６】
0003212010.tif 000008
【図７】
0003212010.tif 000009
【図８】
0003212010.tif 000010
【図９】
0003212010.tif 000011